(57)【要約】  この発明による照明装置（１０）は、照明器具（１６）と、第１の開口部（１４）を有し、かご室（１）の天井板（４）の下面又は側板（３）の内面により構成される取り付け面に当接する第１の面、および第２の開口部（１５）を有し、上記第１の面とは異なる第２の面を備え、上記照明器具（１６）が装着される器具本体（１１）と、上記取り付け面又は上記器具本体（１１）内に設けられる第１の係合部（２２ａ）と、上記取り付け面に対して接離する方向に往復移動可能に上記器具本体（１１）内に配設され、上記第１の開口部（１４）を通じて上記第１の係合部（２２ａ）に係合可能な第２の係合部（２５ｃ）が一端部に形成された第１の部材（２５）と、上記器具本体（１１）内に配設され、上記第２の係合部（２５ｃ）が上記第１の係合部（２２ａ）に係合した状態で復元し、その復元力により上記第１の面を上記取り付け面に押圧する弾性部材（２７，２９）、を備える。
2016113855.tif 000002
【特許請求の範囲】
【請求項１】
照明器具と、
第１の開口部を有し、かご室の天井板の下面又は側板の内面により構成される取り付け面に当接する第１の面、および第２の開口部を有し、上記第１の面とは異なる第２の面を備え、上記照明器具が装着される器具本体と、
上記取り付け面又は上記器具本体内に設けられる第１の係合部と、
上記取り付け面に対して接離する方向に往復移動可能に上記器具本体内に配設され、上記第１の開口部を通じて上記第１の係合部に係合可能な第２の係合部が一端部に形成された第１の部材と、
上記器具本体内に配設され、上記第２の係合部が上記第１の係合部に係合した状態で復元し、その復元力により上記第１の面を上記取り付け面に押圧する弾性部材と、を備えるエレベータかご室の照明装置。
【請求項２】
上記弾性部材は、上記器具本体の上記取り付け面と相対する内面と上記第１の部材の他端部との間、又は上記取り付け面と上記第１の部材の上記他端部との間に配設された引きばねである請求項１記載のエレベータかご室の照明装置。
【請求項３】
第２の部材が、上記第１の部材の他端部から上記第１の係合部側に離間した位置に配設され、
上記弾性部材は、上記第１の部材の上記他端部と上記第２の部材との間に配設された押しばねである請求項１記載のエレベータかご室の照明装置。
【請求項４】
上記第１の係合部が、上記取り付け面又は上記器具本体の上記取り付け面と相対する内面に離間して配設されている請求項１から請求項３のいずれか１項に記載のエレベータかご室の照明装置。
【請求項５】
第３の開口部が、上記取り付け面に形成され、
上記天井板又は上記側板の上記第３の開口部の周縁部が、上記第１の係合部を構成する請求項１から請求項３のいずれか１項に記載のエレベータかご室の照明装置。
【発明の詳細な説明】
【技術分野】
【０００１】
この発明は、エレベータかご室の天井板や側板に取り付けられるエレベータかご室の照明装置に関するものである。
【背景技術】
【０００２】
従来のエレベータかご室の天井装置は、上面をかご室の天井板の下面に対向させて配置され、下面に照明用開口部が形成されたケースと、ケースの内部に装着された光源体と、を備え、かご室の内側から、天井板に溶接されたナットにボルトをねじ込んで、光源体が装着されたケースを天井板に取り付けていた（例えば、特許文献１参照）。
【先行技術文献】
【特許文献】
【０００３】
【特許文献１】特開２００３−２１２４５４号公報
【発明の概要】
【発明が解決しようとする課題】
【０００４】
従来のエレベータかご室の天井装置では、ケースを取り付ける際に、作業者は、ケースを支えつつ、工具を用いてボルトを締め付ける必要があり、作業者一人での取り付けが困難であった。【０００５】
この発明は、上記課題を解決するためになされたもので、工具を用いることなく、作業者一人でも器具本体をかご室の天井板や側板に簡易に取り付けることができるエレベータかご室の照明装置を得ることを目的とする。
【課題を解決するための手段】
【０００６】
この発明のエレベータかご室の照明装置は、照明器具と、第１の開口部を有し、かご室の天井板の下面又は側板の内面により構成される取り付け面に当接する第１の面、および第２の開口部を有し、上記第１の面とは異なる第２の面を備え、上記照明器具が装着される器具本体と、上記取り付け面又は上記器具本体内に設けられる第１の係合部と、上記取り付け面に対して接離する方向に往復移動可能に上記器具本体内に配設され、上記第１の開口部を通じて上記第１の係合部に係合可能な第２の係合部が一端部に形成された第１の部材と、上記器具本体内に配設され、上記第２の係合部が上記第１の係合部に係合した状態で復元し、その復元力により上記第１の面を上記取り付け面に押圧する弾性部材と、を備えている。
【発明の効果】
【０００７】
この発明によれば、作業者は、器具本体を持って第１の面を取り付け面に近づけ、第２の開口部から手を差し入れ、第１の部材を持って弾性部材を蓄勢させる方向に第１の部材を移動させ、第２の係合部を第１の係合部に係合させた後、第１の部材を持っている手を離す。これにより、第１の面が、弾性部材の復元力により、取り付け面に押圧され、照明本体が取り付け面に当接した状態に取り付けられる。そこで、作業者が、器具本体を持ったまま、工具を用いて器具本体を取り付け面に固定する煩雑な作業が不要となり、作業者一人でも、照明装置をかご室の天井板や側板に簡易に取り付けることができる。
【図面の簡単な説明】
【０００８】
【図１】この発明の実施の形態１に係る照明装置が装着されたエレベータかご室を示す模式図である。
【図２】この発明の実施の形態１に係る照明装置を背面側から見た平面図である。
【図３】この発明の実施の形態１に係る照明装置の照明器具周りを示す一部破断側面図である。
【図４】この発明の実施の形態１に係る照明装置における取り付け機構を説明する斜視図である。
【図５】この発明の実施の形態１に係る照明装置における引きばねを伸ばした状態を示す側面図である。
【図６Ａ】この発明の実施の形態１に係る照明器具の取り付け方法を説明する図である。
【図６Ｂ】この発明の実施の形態１に係る照明器具の取り付け方法を説明する図である。
【図６Ｃ】この発明の実施の形態１に係る照明器具の取り付け方法を説明する図である。
【図７】この発明の実施の形態２に係る照明装置における押しばねを縮めた状態を示す側面図である。
【図８Ａ】この発明の実施の形態２に係る照明器具の取り付け方法を説明する図である。
【図８Ｂ】この発明の実施の形態２に係る照明器具の取り付け方法を説明する図である。
【図８Ｃ】この発明の実施の形態２に係る照明器具の取り付け方法を説明する図である。
【図９】この発明の実施の形態３に係る照明装置における取り付け機構を説明する斜視図である。
【図１０】この発明の実施の形態４に係る照明装置における取り付け機構を説明する斜視図である。
【発明を実施するための形態】
【０００９】
実施の形態１．
図１はこの発明の実施の形態１に係る照明装置が装着されたエレベータかご室を示す模式図、図２はこの発明の実施の形態１に係る照明装置を背面側から見た平面図、図３はこの発明の実施の形態１に係る照明装置の照明器具周りを示す一部破断側面図、図４はこの発明の実施の形態１に係る照明装置における取り付け機構を説明する斜視図、図５はこの発明の実施の形態１に係る照明装置における引きばねを伸ばした状態を示す側面図、図６Ａから図６Ｃはそれぞれこの発明の実施の形態１に係る照明器具の取り付け方法を説明する図である。
【００１０】
図１において、エレベータのかご室１は、かご床２と、かご床２上に立設され、かご室１内を昇降路に対して隔離する側板３と、側板３の上部を塞口する天井板４と、を備える。さらに、かご室１は、図示していないが、乗り場との間で利用者の乗降を行う出入り口を構成する出入り口枠、出入り口を開閉するかごの戸、側板３の出入り口横に設けられたかご操作盤などを備える。また、照明装置１０が天井板４の下面に取り付けられている。
【００１１】
照明装置１０は、図２に示されるように、器具本体１１と、器具本体１１内に装着される照明器具１６と、から構成される。
【００１２】
器具本体１１は、図４に示されるように、矩形平板状の前面板１２と、前面板１２の各辺から前面板１２の内面側に垂直に設けられて、前面板１２とともに照明器具収納空間を構成する側面板１３と、からなる箱形に構成されている。そして、器具本体１１の裏面側の全面が開口し、第１の開口部１４を構成する。また、器具本体１１の着脱操作時に作業者が手を差し入れるための第２の開口部１５が、前面板１２に形成されている。ここでは、第２の開口部１５は、照明器具１６を出し入れするための開口部を兼用しているので、前面板１２に２つ形成されている。また、器具本体１１の裏面が第１の面となり、器具本体１１の前面、すなわち前面板１２の表面が第２の面となる。
【００１３】
照明器具１６は、図３に示されるように、蛍光灯などの光源体が収納された筐体１７と、合成樹脂などの透光性板材からなり、筐体１７の前面に一体に形成された照明板１８と、筐体１７に取り付けられ、照明器具１６が器具本体１１に装着された際に、照明板１８との間に前面板１２を挟持して、照明器具１６のがたつきや落下を阻止する係止爪１９と、電源コード２０と、を備える。
【００１４】
つぎに、照明装置１０の取り付け機構について図４および図５を参照しつつ説明する。
【００１５】
受け具２２は、例えば、矩形平板状の鋼材を曲げ成形して作製され、第１の係合部としての受け部２２ａと、受け部２２ａの両側部から受け部２２ａに対して直角の方向に、かつ同じ方向に突出する一対の側壁部２２ｂと、一対の側壁部２２ｂの突出端から側壁部２２ｂに対して直角の方向に、かつ離間する方向に突出する一対の取り付け部２２ｃと、を備える。受け具２２は、一対の取り付け部２２ｃをボルト２３およびナット２４により天井板４に固定して、天井板４の下面に取り付けられる。
【００１６】
第１の部材としての取り付け具２５は、例えば、矩形平板状の鋼材を曲げ成形して作製され、連結部２５ａと、連結部２５ａの両側部から連結部２５ａに対して直角の方向に、かつ同じ方向に突出する基部２５ｂおよび第２の係合部としての引っ掛け部２５ｃと、を備える。そして、引っ掛け部２５ｃの突出長さは、基部２５ｂの突出長さより長くなっている。取り付け具２５は、基部２５ｂにあけられた貫通穴（図示せず）に、前面板１２の内面に垂直に立てられた軸部材２６を通して、器具本体１１に配設される。そして、弾性部材としての引きばね２７が、一端を前面板１２に固着され、他端を基部２５ｂに固着されて、前面板１２と基部２５ｂとの間に配設される。さらに、第２の部材としてのストッパ２８が軸部材２６の突出端側に取り付けられている。
【００１７】
ここで、取り付け具２５は、軸部材２６の長さ方向に往復移動可能であり、引きばね２７がほぼ自然長さの時に通常位置に位置している。そして、取り付け具２５は、ストッパ２８に当接して軸部材２６からの抜けが阻止されている。また、取り付け具２５が通常位置に位置しているときに、基部２５ｂは、引きばね２７の復元力により前面板１２側に引き寄せられ、ストッパ２８から離間している。
【００１８】
つぎに、照明装置１０の取り付け方法について図６Ａから図６Ｂを参照しつつ説明する。
【００１９】
まず、作業者は、かご室１内で、受け具２２を持って脚立にあがり、工具を用いて、一対の取り付け部２２ｃをボルト２３およびナット２４により天井板４に固定し、受け具２２を天井板４の下面に取り付ける。
【００２０】
ついで、作業者は、予め取り付け具２５、軸部材２６、引きばね２７などが組み付けられた器具本体１１を持って脚立にあがり、第２の開口部１５から器具本体１１内に手を差し入れ、連結部２５ａをもって、基部２５ｂがストッパ２８に当接するまで引きばね２７を引き伸ばす。これにより、引っ掛け部２２ｃが器具本体１１から裏面側に突き出る。そこで、作業者は、図６Ａに示されるように、器具本体１１の裏面側を天井板４に近づける。ついで、作業者は、器具本体１１を水平方向に移動させ、図６Ｂに示されるように、連結部２５ａが受け部２２ａに当接するまで、引っ掛け部２５ｃを受け具２２内に挿入する。ついで、作業者は、連結部２５ａを持っている手を離す。そこで、取り付け具２５は、引き伸ばされていた引きばね２７の復元力により、前面板１２側に引き戻される。そして、引っ掛け部２５ｃが受け部２２ａに当接すると、器具本体１１が、引きばね２７の復元力により、天井板４側に引き寄せられる。これにより、器具本体１１は、図６Ｃに示されるように、その裏面が引きばね２７の復元力により天井板４の下面に押し付けられ、天井板４の下面に当接した状態に保持されて天井板４に取り付けられる。
【００２１】
ついで、作業者は、照明器具１６を持って脚立にあがり、第２の開口部１５から電源コード２０を差し入れて、天井板４に設けられた電源端子（図示せず）に差し込む。ついで、筐体１７を第２の開口部１５から器具本体１１内に差し入れ、照明板１８と係止爪１９とにより前面板１２を挟持させて、照明器具１６が器具本体１１に装着される。これにより、照明装置１０の取り付けが完了する。
【００２２】
なお、照明装置１０は、上述の照明装置１０の取り付け手順と逆の手順で、取り外すことができる。
また、引きばね２７の自然長さは、照明器具１６が装着された器具本体１１の裏面を天井板４の下面に押圧、すなわち当接させることができるに十分な復元力を発生できる長さに設定されている。
【００２３】
この実施の形態１によれば、受け具２２が天井板４の下面に取り付けられている。取り付け具２５が、基部２５ｂを前面板１２に向けて、前面板１２の内面と直交する方向に往復移動可能に前面板１２に装着されている。引きばね２７が、基部２５ｂと前面板１２の内面との間に配設されている。さらに、第２の開口部１５が前面板１２に形成されている。そこで、第２の開口部１５から手を差し入れ、取り付け具２５を持って引きばね２７を引き伸ばし、取り付け具２５の引っ掛け部２５ｃを器具本体１１から裏面側に突き出させる。そして、裏面側を天井板４の下面に近づけて器具本体１１を平行移動させて、器具本体１１から裏面側に突き出された引っ掛け部２５ｃを受け具２２内に差し入れた後、取り付け具２５を持っていた手を離す。これにより、引き伸ばされることで蓄勢されていた復元力が放勢され、引っ掛け部２５ｃが受け具２２の受け部２２ａに当接し、ついで、器具本体１１が天井板４の下面に押し当てられる。これにより、器具本体１１が、裏面を天井板４の下面に当接した状態を保持して天井板４に取り付けられる。
【００２４】
したがって、作業者が、かさばった、重い器具本体１１を持ったまま、ドライバなどの工具を用いて、器具本体１１を天井板４に取り付ける煩雑な作業が不要となる。そこで、作業者一人でも、照明装置１０を簡易に天井板４に取り付けることができる。
【００２５】
器具本体１１が、裏面を天井板４の下面に当接した状態を保持して天井板４に取り付けられており、器具本体１１と天井板４との間に隙間がないので、器具本体１１と天井板４との間に隙間がある場合に比べて、地震の発生時に、照明装置１０が落下するなどの危険性を低減でき、優れた耐震性を実現できる。
【００２６】
器具本体１１を天井板４に取り付けた際に、受け具２２および取り付け具２５などが器具本体１１内に納められるので、優れた意匠性を実現できる。
【００２７】
なお、上記実施の形態１では、器具本体が天井板の下面に当接するように取り付けられているが、器具本体は、かご室の側板の内面に当接するように取り付けられてもよい。この場合、器具本体の裏面が背面板により塞がれ、４つの側面板のなかの１つの側面板が省略され、第１の開口部となる。そして、側面板が省略された面が第１の面となる。
【００２８】
実施の形態２．
図７はこの発明の実施の形態２に係る照明装置における押しばねを縮めた状態を示す側面図、図８Ａから図８Ｃはそれぞれこの発明の実施の形態２に係る照明器具の取り付け方法を説明する図である。
【００２９】
図７において、取り付け具２５は、基部２５ｂにあけられた貫通穴（図示せず）に、前面板１２の内面に垂直に立てられた軸部材２６を通して、器具本体１１に配設される。そして、弾性部材としての押しばね２９が、自然長さより縮めた状態で、前面板１２と基部２５ｂとの間に配設される。
ここで、取り付け具２５は、軸部材２６の長さ方向に往復移動可能である。また、取り付け具２５は、押しばね２９の復元力により、基部２５ｂを前面板１２に押し当てられて、器具本体１１内に配設されている。
なお、他の構成は、上記実施の形態１と同様に構成されている。
【００３０】
実施の形態２による照明装置を天井板４に取り付けるには、まず、作業者は、かご室１内で、受け具２２を持って脚立にあがり、工具を用いて、一対の取り付け部２２ｃをボルト２３およびナット２４により天井板４に固定し、受け具２２を天井板４の下面に取り付ける。
【００３１】
ついで、作業者は、予め取り付け具２５、軸部材２６、押しばね２９などが組み付けられた器具本体１１を持って脚立にあがり、第２の開口部１５から器具本体１１内に手を差し入れ、連結部２５ａをもって、引っ掛け部２５ｃが器具本体１１の裏面側に突き出るように、押しばね２９を縮小させる。そこで、作業者は、図８Ａに示されるように、器具本体１１の裏面側を天井板４に近づける。ついで、作業者は、器具本体１１を水平方向に移動させ、図８Ｂに示されるように、連結部２５ａが受け部２２ａに当接するまで、引っ掛け部２５ｃを受け具２２内に挿入する。ついで、作業者は、連結部２５ａを持っている手を離す。そこで、取り付け具２５は、縮小されていた押しばね２９の復元力により、前面板１２側に押し戻される。そして、引っ掛け部２５ｃが受け部２２ａに当接すると、器具本体１１が、押しばね２９の復元力により、天井板４側に引き寄せられる。これにより、器具本体１１は、図８Ｃに示されるように、その裏面が押しばね２９の復元力により天井板４の下面に押し付けられ、天井板４の下面に当接した状態に保持されて天井板４に取り付けられる。
【００３２】
ついで、作業者は、照明器具１６を持って脚立にあがり、第２の開口部１５から電源コード２０を差し入れて、天井板４に設けられた電源端子（図示せず）に差し込む。ついで、筐体１７を第２の開口部１５から器具本体１１内に差し入れ、照明板１８と係止爪１９とにより前面板１２を挟持させて、照明器具１６が器具本体１１に装着される。これにより、照明装置の取り付けが完了する。
【００３３】
なお、照明装置は、上述の照明装置の取り付け手順と逆の手順で、取り外すことができる。
また、押しばね２９の自然長さは、照明器具１６が装着された器具本体１１の裏面を天井板４の下面に押圧、すなわち当接させることができるに十分な復元力を発生できる長さに設定されている。
【００３４】
このように、実施の形態２では、作業者が、器具本体１１を持ったまま、工具を用いて、器具本体１１を天井板４に取り付ける煩雑な作業が不要となる。また、器具本体１１が、裏面を天井板４の下面に当接した状態を保持して天井板４に取り付けられており、器具本体１１と天井板４との間に隙間がない。さらに、器具本体１１を天井板４に取り付けた際に、受け具２２および取り付け具２５などが器具本体１１内に納められる。したがって、実施の形態２においても、上記実施の形態１と同様に効果が得られる。
【００３５】
なお、上記実施の形態２では、器具本体が天井板の下面に当接するように取り付けられているが、器具本体は、かご室の側板の内面に当接するように取り付けられてもよい。この場合、器具本体の裏面が背面板により塞がれ、４つの側面板のなかの１つの側面板が省略され、第１の開口部となる。そして、側面板が省略された面が第１の面となる。
【００３６】
実施の形態３．
図９はこの発明の実施の形態３に係る照明装置における取り付け機構を説明する斜視図である。
【００３７】
図９において、受け具２２は、一対の取り付け部２２ｃを前面板１２の内面に固定して、器具本体１１に取り付けられる。
【００３８】
取り付け具２５は、図示されていないが、基部２５ｂにあけられた貫通穴に、天井板４の下面に垂直に立てられた軸部材２６を通して、天井板４に配設される。そして、引きばね２７が、一端を天井板４に固着され、他端を基部２５ｂに固着されて、天井板４と基部２５ｂとの間に配設される。さらに、ストッパ２８が軸部材２６の突出端側に取り付けられる。
【００３９】
ここで、取り付け具２５は、軸部材２６の長さ方向に往復移動可能であり、引きばね２７がほぼ自然長さの時に通常位置に位置している。そして、取り付け具２５は、ストッパ２８に当接して軸部材２６からの抜けが阻止されている。また、取り付け具２５が通常位置に位置しているときに、基部２５ｂは、引きばね２７の復元力により天井板４側に引き寄せられ、ストッパ２８から離間している。
なお、他の構成は、上記実施の形態１と同様に構成されている。
【００４０】
つぎに、実施の形態３による照明装置を天井板４に取り付ける方法を説明する。ここで、受け具２２は、予め器具本体１１の前面板１２の内面に取り付けられている。また、取り付け具２５、引きばね２７およびストッパ２８が、予め、軸部材２６に組み付けられている。
【００４１】
まず、作業者は、かご室１内で、取り付け具２５、引きばね２７およびストッパ２８が組み付けられた軸部材２６を持って脚立にあがり、軸部材２６を天井板４の下面に垂直に取り付け、引きばね２７の一端を天井板４に固着する。
【００４２】
ついで、作業者は、器具本体１１を持って脚立にあがり、第２の開口部１５から器具本体１１内に手を差し入れ、連結部２５ａをもって、引きばね２７を引き伸ばす。そこで、作業者は、器具本体１１の裏面側を天井板４に近づける。ついで、作業者は、器具本体１１を水平方向に移動させ、連結部２５ａが受け部２２ａに当接するまで、引っ掛け部２５ｃを受け具２２内に挿入する。ついで、作業者は、連結部２５ａを持っている手を離す。そこで、取り付け具２５は、引き伸ばされていた押しばね２９の復元力により、天井板４側に引き戻される。そして、引っ掛け部２５ｃが受け部２２ａに当接すると、器具本体１１が、引きばね２７の復元力により、天井板４側に引き寄せられる。これにより、器具本体１１は、その裏面が引きばね２７の復元力により天井板４の下面に押し付けられ、天井板４の下面に当接した状態に保持されて天井板４に取り付けられる。
【００４３】
ついで、作業者は、照明器具１６を持って脚立にあがり、第２の開口部１５から電源コード２０を差し入れて、天井板４に設けられた電源端子（図示せず）に差し込む。ついで、筐体１７を第２の開口部１５から器具本体１１内に差し入れ、照明板１８と係止爪１９とにより前面板１２を挟持させて、照明器具１６が器具本体１１に装着される。これにより、照明装置の取り付けが完了する。
【００４４】
なお、照明装置は、上述の照明装置の取り付け手順と逆の手順で、取り外すことができる。
また、引きばね２７の自然長さは、照明器具１６が装着された器具本体１１の裏面を天井板４の下面に押圧、すなわち当接させることができるに十分な復元力を発生できる長さに設定されている。
【００４５】
このように、実施の形態３では、作業者が、器具本体１１を持ったまま、工具を用いて、器具本体１１を天井板４に取り付ける煩雑な作業が不要となる。また、器具本体１１が、裏面を天井板４の下面に当接した状態を保持して天井板４に取り付けられており、器具本体１１と天井板４との間に隙間がない。さらに、器具本体１１を天井板４に取り付けた際に、受け具２２および取り付け具２５などが器具本体１１内に納められる。したがって、実施の形態３においても、上記実施の形態１と同様に効果が得られる。
【００４６】
なお、上記実施の形態３では、上記実施の形態１における照明装置において、受け具を器具本体の前面板に取り付け、取り付け具を天井板に取り付けているが、上記実施の形態２における照明装置において、受け具を器具本体の前面板に取り付け、取り付け具を天井板に取り付けても、同様に効果が得られる。
【００４７】
実施の形態４．
図１０はこの発明の実施の形態４に係る照明装置における取り付け機構を説明する斜視図である。
【００４８】
図１０において、第３の開口部３０が、天井板４に形成され、受け具２２が省略されている。そして、天井板４の第３の開口部３０の周縁部４ａが第１の係合部となる。
なお、他の構成は、上記実施の形態１と同様に構成されている。
【００４９】
実施の形態４による照明装置を天井板４に取り付けるには、作業者は、予め取り付け具２５、軸部材２６、引きばね２７などが組み付けられた器具本体１１を持って脚立にあがり、第２の開口部１５から器具本体１１内に手を差し入れ、連結部２５ａをもって、基部２５ｂがストッパ２８に当接するまで引きばね２７を引き伸ばす。これにより、引っ掛け部２２ｃが器具本体１１から裏面側に突き出る。そこで、作業者は、器具本体１１の裏面側を天井板４に近づけ、引っ掛け部２２ｃを第３の開口部３０内に挿入する。ついで、作業者は、連結部２５ａが第３の開口部３０の縁部に当接するまで、器具本体１１を水平方向に移動させる。ついで、作業者は、連結部２５ａを持っている手を離す。そこで、取り付け具２５は、引き伸ばされていた引きばね２７の復元力により、前面板１２側に引き戻される。そして、引っ掛け部２５ｃが天井板４の第３の開口部３０の周縁部４ａに当接すると、器具本体１１が、引きばね２７の復元力により、天井板４側に引き寄せられる。これにより、器具本体１１は、その裏面が引きばね２７の復元力により天井板４の下面に押し付けられ、天井板４の下面に当接した状態に保持されて天井板４に取り付けられる。
【００５０】
ついで、作業者は、照明器具１６を持って脚立にあがり、第２の開口部１５から電源コード２０を差し入れて、天井板４に設けられた電源端子（図示せず）に差し込む。ついで、筐体１７を第２の開口部１５から器具本体１１内に差し入れ、照明板１８と係止爪１９とにより前面板１２を挟持させて、照明器具１６が器具本体１１に装着される。これにより、照明装置の取り付けが完了する。
【００５１】
なお、照明装置は、上述の照明装置の取り付け手順と逆の手順で、取り外すことができる。
また、引きばね２７の自然長さは、照明器具１６が装着された器具本体１１の裏面を天井板４の下面に押圧、すなわち当接させることができるに十分な復元力を発生できる長さに設定されている。
【００５２】
このように、実施の形態４では、作業者が、器具本体１１を持ったまま、工具を用いて、器具本体１１を天井板４に取り付ける煩雑な作業が不要となる。また、器具本体１１が、裏面を天井板４の下面に当接した状態を保持して天井板４に取り付けられており、器具本体１１と天井板４との間に隙間がない。さらに、器具本体１１を天井板４に取り付けた際に、第３の開口部３０および取り付け具２５などが器具本体１１内に納められる。したがって、実施の形態４においても、上記実施の形態１と同様に効果が得られる。
また、実施の形態４によれば、受け具２２が不要となり、部品点数を削減できるとともに、受け具２２の取り付け作業が不要となるので、照明装置をより簡易に天井板４に取り付けることができる。
【００５３】
なお、上記実施の形態４では、上記実施の形態１における照明装置において、天井板に第３の開口部を形成して、受け具を省略しているが、上記実施の形態２における照明装置において、天井板に第３の開口部を形成して、受け具を省略しても、同様に効果が得られる。
【００５４】
また、上記各実施の形態では、器具本体の裏面側の全面が開放されているが、器具本体の裏面を背面板により塞ぎ、器具本体の着脱操作時の第１の係合部と第２の係合部との係合動作および係合解除動作に必要な大きさの第１の開口部を背面板に形成してもよい。
また、上記各実施の形態では、受け部および取り付け具が鋼板を曲げ成形して作製されているが、受け部および取り付け具は、金属製である必要はなく、所望の機械的強度が得られれば、樹脂製でもよい。
【図１】
2016113855.tif 000003
【図２】
2016113855.tif 000004
【図３】
2016113855.tif 000005
【図４】
2016113855.tif 000006
【図５】
2016113855.tif 000007
【図６Ａ】
2016113855.tif 000008
【図６Ｂ】
2016113855.tif 000009
【図６Ｃ】
2016113855.tif 000010
【図７】
2016113855.tif 000011
【図８Ａ】
2016113855.tif 000012
【図８Ｂ】
2016113855.tif 000013
【図８Ｃ】
2016113855.tif 000014
【図９】
2016113855.tif 000015
【図１０】
2016113855.tif 000016
【手続補正書】
【提出日】平成29年3月15日(2017.3.15)
【手続補正１】
【補正対象書類名】明細書
【補正対象項目名】０００６
【補正方法】変更
【補正の内容】
【０００６】
この発明のエレベータかご室の照明装置は、照明器具と、第１の開口部を有し、かご室の天井板の下面又は側板の内面により構成される取り付け面に当接する第１の面を備え、上記照明器具が装着される器具本体と、上記取り付け面又は上記器具本体内に設けられる第１の係合部と、上記取り付け面に対して接離する方向に往復移動可能に上記器具本体内に配設され、上記第１の開口部を通じて上記第１の係合部に係合可能な第２の係合部を有する第１の部材と、上記器具本体内に配設され、上記第２の係合部が上記第１の係合部に係合した状態で上記第１の面を上記取り付け面に押圧する弾性部材と、を備えている。
【手続補正２】
【補正対象書類名】明細書
【補正対象項目名】０００８
【補正方法】変更
【補正の内容】
【０００８】
【図１】この発明の実施の形態１に係る照明装置が装着されたエレベータかご室を示す模式図である。
【図２】この発明の実施の形態１に係る照明装置を背面側から見た平面図である。
【図３】この発明の実施の形態１に係る照明装置の照明器具周りを示す一部破断側面図である。
【図４】この発明の実施の形態１に係る照明装置における取り付け機構を説明する斜視図である。
【図５】この発明の実施の形態１に係る照明装置における引きばねを伸ばした状態を示す側面図である。
【図６Ａ】この発明の実施の形態１に係る照明装置の取り付け方法を説明する図である。
【図６Ｂ】この発明の実施の形態１に係る照明装置の取り付け方法を説明する図である。
【図６Ｃ】この発明の実施の形態１に係る照明装置の取り付け方法を説明する図である。
【図７】この発明の実施の形態２に係る照明装置における押しばねを縮めた状態を示す側面図である。
【図８Ａ】この発明の実施の形態２に係る照明装置の取り付け方法を説明する図である。
【図８Ｂ】この発明の実施の形態２に係る照明装置の取り付け方法を説明する図である。
【図８Ｃ】この発明の実施の形態２に係る照明装置の取り付け方法を説明する図である。
【図９】この発明の実施の形態３に係る照明装置における取り付け機構を説明する斜視図である。
【図１０】この発明の実施の形態４に係る照明装置における取り付け機構を説明する斜視図である。
【手続補正３】
【補正対象書類名】明細書
【補正対象項目名】０００９
【補正方法】変更
【補正の内容】
【０００９】
実施の形態１．
図１はこの発明の実施の形態１に係る照明装置が装着されたエレベータかご室を示す模式図、図２はこの発明の実施の形態１に係る照明装置を背面側から見た平面図、図３はこの発明の実施の形態１に係る照明装置の照明器具周りを示す一部破断側面図、図４はこの発明の実施の形態１に係る照明装置における取り付け機構を説明する斜視図、図５はこの発明の実施の形態１に係る照明装置における引きばねを伸ばした状態を示す側面図、図６Ａから図６Ｃはそれぞれこの発明の実施の形態１に係る照明装置の取り付け方法を説明する図である。
【手続補正４】
【補正対象書類名】明細書
【補正対象項目名】００２８
【補正方法】変更
【補正の内容】
【００２８】
実施の形態２．
図７はこの発明の実施の形態２に係る照明装置における押しばねを縮めた状態を示す側面図、図８Ａから図８Ｃはそれぞれこの発明の実施の形態２に係る照明装置の取り付け方法を説明する図である。
【手続補正５】
【補正対象書類名】明細書
【補正対象項目名】００４２
【補正方法】変更
【補正の内容】
【００４２】
ついで、作業者は、器具本体１１を持って脚立にあがり、第２の開口部１５から器具本体１１内に手を差し入れ、連結部２５ａをもって、引きばね２７を引き伸ばす。そこで、作業者は、器具本体１１の裏面側を天井板４に近づける。ついで、作業者は、器具本体１１を水平方向に移動させ、連結部２５ａが受け部２２ａに当接するまで、引っ掛け部２５ｃを受け具２２内に挿入する。ついで、作業者は、連結部２５ａを持っている手を離す。そこで、取り付け具２５は、引き伸ばされていた引きばね２７の復元力により、天井板４側に引き戻される。そして、引っ掛け部２５ｃが受け部２２ａに当接すると、器具本体１１が、引きばね２７の復元力により、天井板４側に引き寄せられる。これにより、器具本体１１は、その裏面が引きばね２７の復元力により天井板４の下面に押し付けられ、天井板４の下面に当接した状態に保持されて天井板４に取り付けられる。
【手続補正６】
【補正対象書類名】特許請求の範囲
【補正対象項目名】全文
【補正方法】変更
【補正の内容】
【特許請求の範囲】
【請求項１】
照明器具と、
第１の開口部を有し、かご室の天井板の下面又は側板の内面により構成される取り付け面に当接する第１の面を備え、上記照明器具が装着される器具本体と、
上記取り付け面又は上記器具本体内に設けられる第１の係合部と、
上記取り付け面に対して接離する方向に往復移動可能に上記器具本体内に配設され、上記第１の開口部を通じて上記第１の係合部に係合可能な第２の係合部を有する第１の部材と、
上記器具本体内に配設され、上記第２の係合部が上記第１の係合部に係合した状態で上記第１の面を上記取り付け面に押圧する弾性部材と、を備えるエレベータかご室の照明装置。
【請求項２】
上記器具本体は、第２の開口部を有し、上記第１の面とは異なる第２の面を備える請求項１記載のエレベータかご室の照明装置。
【請求項３】
上記弾性部材は、上記器具本体の上記取り付け面と相対する内面と上記第１の部材との間、又は上記取り付け面と上記第１の部材との間に配設された引きばねである請求項１又は請求項２記載のエレベータかご室の照明装置。
【請求項４】
第２の部材が、上記第１の部材から上記第１の係合部側に離間した位置に配設され、
上記弾性部材は、上記第１の部材と上記第２の部材との間に配設された押しばねである請求項１又は請求項２記載のエレベータかご室の照明装置。
【請求項５】
上記第１の係合部が、上記取り付け面又は上記器具本体の上記取り付け面と相対する内面に離間して配設されている請求項１から請求項４のいずれか１項に記載のエレベータかご室の照明装置。
【請求項６】
第３の開口部が、上記取り付け面に形成され、
上記天井板又は上記側板の上記第３の開口部の周縁部が、上記第１の係合部を構成する請求項１から請求項４のいずれか１項に記載のエレベータかご室の照明装置。
【国際調査報告】
2016113855.tif 000017
2016113855.tif 000018
2016113855.tif 000019
2016113855.tif 000020